(57)【要約】【課題】本発明の目的は、複数の目的に使用したり、同時に複数の目的に使用できると共に、それぞれの目的で使用した薬剤による薬剤取付部や空気流通路への付着物が混在することがないし、薬剤を効率良く大気に放出でき、しかも狭いスペースで使用できると共に、電源を有効利用でき、簡単に持ち運び、保管できる薬剤放散装置とする。【解決手段】電源を有した電源用容器１に、送風機２５を駆動することで薬剤を含有した空気を放出する薬剤放散器具２を、格納姿勢と使用姿勢とに亘って移動自在にそれぞれ複数取付け、この各薬剤放散器具２の送風機２５のモータ２５ｂは、前記電源用容器１の電源によってそれぞれ駆動されるようにした薬剤放散装置。【選択図】図２
2009095272.tif 000002
【特許請求の範囲】
【請求項１】
電源用容器１と複数の薬剤放散器具２を備え、
前記電源用容器１は、複数の器具取付部１２を有した容器本体１０に電源を設け、
前記各薬剤放散器具２は、吸込口２１と吐出口２２と薬剤取付部２３を有した器具本体２０と、薬剤２４と送風機２５を備え、その送風機２５のモータ２５ｂを駆動してファン２５ａを回転することで、吸込口２１から吸い込んだ空気が薬剤２４と触れて薬剤を含有した空気を吐出口２２から吐出し、
前記各器具本体２０が前記各器具取付部１２に取付けられ、各薬剤放散器具２は電源用容器１に、各薬剤放散器具２の空気流通路が干渉せずに独立した使用姿勢と、各薬剤放散器具２が電源用容器１に接近してコンパクトとなった格納姿勢とに亘って移動自在に取付けてあり、
前記各薬剤放散器具２の送風機２５のモータ２５ｂは、電源用容器１の電源により駆動されるようにしたことを特徴とする薬剤放散装置。
【請求項２】
各器具本体２０は器具取付部１２に着脱自在に取付けられ、各薬剤放散器具２は電源用容器１に着脱自在に取付けてある請求項１記載の薬剤放散装置。
【請求項３】
電源用容器１の各器具取付部１２は、容器本体１０に横向きの使用姿勢と縦向きの格納姿勢とに亘って回動自在に取付けられ、
前記器具取付部１２に着脱自在に取付けられる取付部２６を器具本体２０に設け、各薬剤放散器具２は電源用容器１に横向きの使用姿勢と縦向きの格納姿勢とに亘って上下回動自在に取付けてある請求項１記載の薬剤放散装置。
【請求項４】
端子１７ａを有した差し込みプラグ１７を容器本体１０に上下回動自在に取付けて器具取付部１２とし、
差し込み口２９ａを有した差し込みソケット２９を器具本体２０に取付けて取付部２６とした請求項３記載の薬剤放散装置。
【請求項５】
電源用容器１の容器本体１０に縦軸３０を設け、この縦軸３０の外周面における軸方向複数位置を複数の器具取付部１２とし、
各薬剤放散器具２の器具本体２０に形成した縦孔４１を、前記縦軸３０に回動自在に嵌合して取付け、
前記薬剤放散器具２は、電源用容器１に対して上下方向に重なり合った格納姿勢と、縦軸３０を中心として放射状に展開した使用姿勢とに亘って回動自在とした請求項１記載の薬剤放散装置。
【請求項６】
電源用容器１の容器本体１０を円筒形状とし、その外周面１０ｄにおける軸方向複数位置を複数の器具取付部１２とし、
各薬剤放散器具２の器具本体２０に形成した縦孔４１を、前記容器本体１０に回動自在に嵌合して取付け、
前記薬剤放散器具２は上下方向に重なり合った格納姿勢と、容器本体１０を中心として放射状に展開した使用姿勢とに亘って回動自在とした請求項１記載の薬剤放散装置。
【発明の詳細な説明】
【技術分野】
【０００１】
本発明は、薬剤を含有する空気を大気に放出する薬剤放散装置に関する。
【背景技術】
【０００２】
従来から、吸込口と吐出口と薬剤取付部を有すると共に、送風機と、この送風機の電源を備えた装置本体に、薬剤を取付け、送風機を駆動することで薬剤に空気を触れることで薬剤を含有する空気とし、その空気を大気に放出するようにした薬剤放散装置が種々提案されている。
この薬剤放散装置は、快適な居住空間を得るための害虫の防除、悪臭の消臭や安らぎの香り、防菌や防黴、などのいろいろな目的として使用される。
【０００３】
前述の目的のために薬剤放散装置の使用場面として、ダイニングキッチン室、寝室、子供室、浴室、トイレ、などの居間空間、その他玄関、物置、ペット、等の空間、また、押入れ、衣装室、食材や調理用具などの収納室、などと様々である。
また、キッチンセット、冷蔵庫、家具、などを設置してできる隙間、台所や浴室などの排水管、などの局所空間などもある。
そして、その空間は、大中小などの広さや局所空間の奥行き、入口の大きさ、などが異なることがある。
さらに、一般家庭の他に、販売店、食堂、旅館、病院、乗り物、などでも使用されることがある。
【０００４】
前述したように、薬剤放散装置は複数の目的のために使用されると共に、様々な場面で使用されるので、１台の薬剤放散装置で複数の目的に使用できること、同時に複数の目的に使用できること、様々な場面で使用できること、を満足した薬剤放散装置とすることが好ましい。
【０００５】
例えば、装置本体の薬剤取付部に、いろいろな目的に供する異なる種類の薬剤のいずれか１つを選択的に取付けて１台の薬剤放散装置で複数の目的に使用することが考えられる。
しかし、このようにすると、それぞれの目的で使用した薬剤による薬剤取付部や空気流通路への付着物が混在する問題がある。例えば、特に有毒イメージの害虫を対象とする害虫防除剤を使用した後、無毒イメージの人間を対象とする芳香剤などを使用する場合、害虫防除剤付着物が混在することはあってはならない問題である。
【０００６】
また、同時に複数の目的に使用することができる薬剤放散装置が特許文献１に開示されている。
この薬剤放散装置は、送風機を備えた装置本体の吸込口と吐出口とに薬剤取付部をそれぞれ設け、送風機を駆動することで各々の薬剤取付部に取付けた薬剤を大気に放出するようにしてある。
【０００７】
【特許文献１】特開２００３−３０４７９１号公報
【発明の開示】
【発明が解決しようとする課題】
【０００８】
前述の従来の薬剤放散装置のように、吸込口及び吐出口の各薬剤取付部に、目的の違う異なる種類の薬剤（薬剤保持体）を取付けて使用することは、吸込み気流や吐出し気流の空気の流通を妨げる問題がある。例えば、吸込口に取付けた薬剤は、その薬剤の外気への放出（速度、距離）を吐出口に取付けた薬剤が妨げる。また、吐出口に取付けた薬剤は、その薬剤に触れる風力を吸込口に取付けた薬剤が妨げる。
前述のように、空気の流通が妨げられると効率良く薬剤を大気に放出できない。
【０００９】
複数の目的に使用したり、同時に複数の目的に使用できると共に、それぞれの目的で使用した薬剤による薬剤取付部や空気流通路への付着物が混在することがないし、薬剤を効率良く大気に放出できることを満足するには、前述した従来の薬剤放散装置を目的の数だけ準備し、目的に応じた薬剤放散装置を選択して用いることが考えられる。
【００１０】
しかし、前述のようにした場合には次のような問題がある。
従来の薬剤放散装置は、装置本体に電源を設けているので、大型であり、大型の薬剤放散装置を複数台並べて用いると広いスペースが必要である。
また、使用していない薬剤放散装置を何処かに保管しなければならず、面倒であるし、持ち運びしにくい。
また、使用していない薬剤放散装置の電源は利用されないので、不経済である。
【００１１】
本発明の目的は、複数の目的に使用したり、同時に複数の目的に使用できると共に、それぞれの目的で使用した薬剤による薬剤取付部や空気流通路への付着物が混在することがないし、薬剤を効率良く大気に放出でき、しかも狭いスペースで使用できると共に、電源を有効利用でき、簡単に持ち運び、保管できるようにした薬剤放散装置とすることである。
【課題を解決するための手段】
【００１２】
本発明は、電源用容器１と複数の薬剤放散器具２を備え、
前記電源用容器１は、複数の器具取付部１２を有した容器本体１０に電源を設け、
前記各薬剤放散器具２は、吸込口２１と吐出口２２と薬剤取付部２３を有した器具本体２０と、薬剤２４と送風機２５を備え、その送風機２５のモータ２５ｂを駆動してファン２５ａを回転することで、吸込口２１から吸い込んだ空気が薬剤２４と触れて薬剤を含有した空気を吐出口２２から吐出し、
前記各器具本体２０が前記各器具取付部１２に取付けられ、各薬剤放散器具２は電源用容器１に、各薬剤放散器具２の空気流通路が干渉せずに独立した使用姿勢と、各薬剤放散器具２が電源用容器１に接近してコンパクトとなった格納姿勢とに亘って移動自在に取付けてあり、
前記各薬剤放散器具２の送風機２５のモータ２５ｂは、電源用容器１の電源により駆動されるようにしたことを特徴とする薬剤放散装置である。
【００１３】
本発明においては、各器具本体２０は器具取付部１２に着脱自在に取付けられ、各薬剤放散器具２は電源用容器１に着脱自在に取付けてある薬剤放散装置とすることができる。
【００１４】
このようにすれば、薬剤放散器具２を取り外して新しく別の薬剤放散器具２を取付けて異なる目的に使用できる。
したがって、異なる目的に使用する薬剤放散器具２を複数台準備しておくことで、より多くの目的に使用できる。
【００１５】
本発明においては、電源用容器１の各器具取付部１２は、容器本体１０に横向きの使用姿勢と縦向きの格納姿勢とに亘って回動自在に取付けられ、
前記器具取付部１２に着脱自在に取付けられる取付部２６を器具本体２０に設け、各薬剤放散器具２は電源用容器１に横向きの使用姿勢と縦向きの格納姿勢とに亘って上下回動自在に取付けてある薬剤放散装置とすることができる。
【００１６】
このようにすれば、使用姿勢の時には各薬剤放散器具２が電源用容器１を中心として放射状に配置されるので、各空気流通路が干渉することがなく独立した状態にできる。
また、格納姿勢の時には各薬剤放散器具２が電源用容器１の上で互いに接近した状態となるから、よりコンパクトにできる。
【００１７】
本発明においては、端子１７ａを有した差し込みプラグ１７を容器本体１０に上下回動自在に取付けて器具取付部１２とし、
差し込み口２９ａを有した差し込みソケット２９を器具本体２０に取付けて取付部２６とした薬剤放散装置とすることができる。
【００１８】
このようにすれば、薬剤放散器具２を電源用容器１に取付けることで、電源用容器１の電源から薬剤放散器具２の送風機２５のモータ２５ａに電力を供給できる状態、つまり通電できる状態とすることができる。
【００１９】
本発明においては、電源用容器１の容器本体１０に縦軸３０を設け、この縦軸３０の外周面における軸方向複数位置を複数の器具取付部１２とし、
各薬剤放散器具２の器具本体２０に形成した縦孔４１を、前記縦軸３０に回動自在に嵌合して取付け、
前記薬剤放散器具２は、電源用容器１に対して上下方向に重なり合った格納姿勢と、縦軸３０を中心として放射状に展開した使用姿勢とに亘って回動自在とした薬剤放散装置とすることができる。
【００２０】
このようにすれば、薬剤放散器具２を縦軸３０の回りに回動することで格納姿勢、使用姿勢とすることができる。
【００２１】
本発明においては、電源用容器１の容器本体１０を円筒形状とし、その外周面１０ｄにおける軸方向複数位置を複数の器具取付部１２とし、
各薬剤放散器具２の器具本体２０に形成した縦孔４１を、前記容器本体１０に回動自在に嵌合して取付け、
前記薬剤放散器具２は上下方向に重なり合った格納姿勢と、容器本体１０を中心として放射状に展開した使用姿勢とに亘って回動自在とした薬剤放散装置とすることができる。
【００２２】
このようにすれば、電源用容器１の容器本体１０の外周面１０ｄが器具取付部１２であるから、器具取付部１２を特別に設ける必要がなく、部品点数を少なくできる。
【発明の効果】
【００２３】
本発明によれば、複数の目的に使用したり、同時に複数の目的に使用できると共に、それぞれの目的で使用した薬剤による薬剤取付部や空気流通路への付着物が混在することがないし、薬剤を効率良く大気に放出でき、しかも狭いスペースで使用できると共に、電源を有効利用でき、簡単に持ち運び、保管できる。
【発明を実施するための最良の形態】
【００２４】
本発明の第１の実施の形態を図１、図２、図３に基づいて説明する。
電源用容器１と、複数の薬剤放散器具２を備えている。
前記電源用容器１は容器本体１０を有し、その容器本体１０に電源、例えば電池１１が設けられていると共に、容器本体１０は複数の器具取付部１２を有している。
前記薬剤放散器具２は、器具本体２０を備え、この器具本体２０は吸込口２１と吐出口２２と薬剤取付部２３を有し、その薬剤取付部２３に取付けた薬剤２４と送風機２５を備えている。
【００２５】
前記器具本体２０は前記器具取付部１２に取付けられ、前記薬剤放散器具２は電源用容器１に使用姿勢と格納姿勢とに亘って移動自在に取付けてある。
各薬剤放散器具２の送風機２５は電源用容器１に設けた電池１１にそれぞれ接続され、その電池１１により駆動される。
前記使用姿勢とは、各薬剤放散器具２の空気流通路が干渉せずに独立した状態である。
前記空気流通路とは吸込口２１から吸い込まれ、吐出口２２から吐出される空気の流通路である。
前記格納姿勢とは、各薬剤放散器具２が電源用容器１に相互に接近してコンパクトとなった状態である。
【００２６】
この実施の形態では、器具取付部１２は容器本体１０に横向きの使用姿勢と縦向きの格納姿勢とに亘って上下方向に回動自在に取付けてある。
前記器具本体２０は取付部２６を備え、その取付部２６が器具取付部１２に着脱自在に取付けられ、薬剤放散器具２は電源用容器１に横向きの使用姿勢と縦向きの格納姿勢とに亘って上下方向に回動自在に取付けてある。
前記器具取付部１２は４つで、薬剤放散器具２は４つである。
【００２７】
このようであるから、複数、例えば４つの薬剤放散器具２に目的の異なる薬剤２４をそれぞれ取付け、目的に応じて１つの薬剤放散器具２を使用状態とし、送風機２５を駆動することで薬剤２４を含む空気を吐出口２２から吐出することで、薬剤を含有した空気を大気に放出できる。
したがって、複数の目的に使用できる。
【００２８】
また、各薬剤放散器具２を使用姿勢として各送風機２５を駆動することで、各薬剤を含有した空気を各吐出口２２から吐出し、各薬剤を含有した空気をそれぞれ大気に放出できる。
したがって、同時に複数の目的に使用できる。
【００２９】
また、使用姿勢の薬剤放散器具２の空気流通路は独立しているので、１つの薬剤放散器具２の空気流通路を流通する薬剤を含有した空気が他の薬剤放散器具２の空気流通路を流通することがなく、それぞれの目的で使用した薬剤による薬剤取付部２３や空気流通路への付着物が混在することがない。
【００３０】
また、空気流通路には、１つの薬剤が設けられているので、その空気流通路を空気がスムーズに流通して薬剤に触れる風力が妨げられることがない。
したがって、薬剤を効率良く大気に放出できる。
【００３１】
また、薬剤放散器具２の送風機２５は電源用容器１に設けた電池１１（電源）で駆動され、その薬剤放散器具２は電源を有していないので、その薬剤放散器具２を小型とすることができる。
したがって、狭いスペースで使用できる。
例えば、図１に示すように電源用容器１の周囲に、小型の薬剤放散器具２を横向きの使用姿勢として複数配置して各薬剤放散器具２から薬剤を含有した空気を大気にそれぞれ放出できるので、狭いスペースで使用できる。
【００３２】
また、各薬剤放散器具２はそれぞれ電源を有していないので、使用しない薬剤放散器具２がある場合に、使用されない電源は存在しない。
したがって、電源を有効利用できる。
【００３３】
また、各薬剤放散器具２を格納姿勢とすれば、全体がコンパクトとなる。
したがって、簡単に持ち運び、保管できる。
例えば、図２に仮想線で示すように各薬剤放散器具２を縦向きの格納姿勢として電源用容器１に格納することで、コンパクトにできる。
【００３４】
次に、各部材の具体形状を説明する。
前記電源用容器１の容器本体１０は、上面板１０ａと下面板１０ｂと周面板１０ｃを有した平面四角形の箱状で、その下面板１０ｂの一部分が開閉自在で蓋となり、内部に電源、例えば電池１１を取付け、取り外しできるようにしてある。
前記器具取付部１２は凹部１２ａを有している。例えば、周面板１２ｂと背面板１２ｃとで正面が開口した矩形箱形状で、矩形状の凹部１２ａを有している。
前記容器本体１０の周面板１０ｃの４つの面には一対のブラケット１３がそれぞれ設けてあり、この一対のブラケット１３間に器具取付部１２の周面板１２ｂが支軸１４で上下方向に回動自在に取付けてある。
これによって、器具取付部１２は容器本体１０に、凹部１２ａが横向きに開口した横向きの使用姿勢と、凹部１２ａが上向きに開口した縦向きの格納姿勢とに亘って上下方向に回動自在に取付けてある。
【００３５】
前記薬剤放散器具２の器具本体２０は、上面板２０ａと下面板２０ｂと周面板２０ｃで箱形状で、その上面板２０ａに吸込口２１が形成されていると共に、周面板２０ｃの一部分に吐出口２２が形成してある。
前記上面板２０ａにおける吸込口２１の周縁部分が薬剤取付部２３である。
薬剤２４は、リング体２４ａ内に薬剤含浸体２４ｂを設けたもので、そのリング体２４ａを吸込口２１に嵌合して取付けてある。なお、この薬剤２４は図１において仮想線で外形のみが図示してある。
前記送風機２５は、ファン２５ａをモータ２５ｂで回転するもので、そのモータ２５ｂに電源用容器１内の電池１１から電力が供給されている。
【００３６】
前記取付部２６は周面板２０ｃにおける吐出口２２と対向した位置に設けられ、この取付部２６は前記器具取付部１２の凹部１２ａに嵌合、抜き出し可能としてある。
前記取付部２６を器具取付部１２の凹部１２ａに嵌合して薬剤放散器具２を電源用容器１に取付ける。
そして、器具取付部１２とともに薬剤放散器具２を横向きの使用姿勢とすれば、その薬剤放散器具２の吸込口２１が上方に向かうと共に、吐出口２２が電源用容器１の周面と遠く離れた一側方に開口する。
前記器具取付部１２とともに薬剤放散器具２を縦向きの格納姿勢とすれば、その薬剤放散器具２の吐出口２２が上方に向かう。
【００３７】
このようであるから、各薬剤放散器具２を図１に示すように横向きの使用姿勢とすれば、各薬剤放散器具２の吐出口２２が電源用容器１の周囲における遠く離れた一側方にそれぞれ開口するので、隣接した一方の薬剤放散器具２の吐出口２２から吐出した薬剤を含有した空気が、他方の薬剤放散器具２の吸込口２１から吸い込みされないようにできる。
【００３８】
また、各薬剤放散器具２を仮想線で示すように、縦向きの使用姿勢とすれば、全体がコンパクトとなる。
また、各薬剤放散器具２の吐出口２２がそれぞれ上向きとなるから、各薬剤放散器具２に同じ目的の薬剤２４を取付けることで、その薬剤を含有した空気を多量に大気に放出することが可能である。
【００３９】
また、取付部２６を器具取付部１２の凹部１２ａに嵌合、抜き出しすることで、薬剤放散器具２を電源用容器１に取り付け、取り外しできる。
したがって、電源用容器１の取付部１２の数よりも多くの薬剤放散器具２を準備しておき、使用する目的に応じた薬剤放散器具２を選択して取付けることで、より多くの目的に使用できる。
【００４０】
前述の実施の形態では、電源用容器１に４台の薬剤放散器具２を取付けしたが、薬剤放散器具２を取付ける数は、２台、３台、４台以上でも良い。つまり、薬剤放散器具２は複数台取付ければ良い。
例えば、電源用容器１の容器本体１０の周面板１０ｃを三角形、五角形として３つの器具取付部１２、５つの器具取付部１２を設けて３台、５台の薬剤放散器具２を取付ける。
前記容器本体１０の周面板１０ｃを円形として３台以上の器具取付部１２を周方向に間隔を置いて設け、３台以上の薬剤放散器具２を取付ける。
【００４１】
また、前述の形態では、前記器具取付部１２を容器本体１０の周面板１０ｃに取付けしたが、上面板１０ａ又は下面板１０ｂに取付けても良い。
例えば、一対のブラケット１３を上面板１０ａ又は下面板１０ｂに複数設け、上面板１０ａ又は下面板１０ｂに器具取付部１２を複数取付ける。
【００４２】
また、前述の実施の形態では、ブラケット１３に器具取付部１２を支軸１４で取付けしたが、容器本体１０に器具取付部１２が嵌まり合う凹陥部を形成し、この凹陥部内に器具取付部１２を設けて支軸で上下方向に回動自在に連結しても良い。
また、容器本体１０に器具取付部１２を蝶番で上下方向に回動自在に取付けても良い。
【００４３】
本発明の第２の実施の形態を図４、図５に基づいて説明する。
この実施の形態は、器具取付部１２と取付部２６が前述した実施の形態と相違し、他の構成は同様である。
前記電源用容器１の容器本体１０は複数の凹陥部１５を有する。この各凹陥部１５は底面１５ａと側部縦面１５ｂと一対の端部縦面１５ｃで上面と側面に開口した断面ほぼＬ字形状である。
前記一対の端部縦面１５ｃには半球形の凹部１６が形成されて器具取付部１２としてある。
【００４４】
前記薬剤放散器具２の器具本体２０の周面板２０ｃにおける吐出口２２と反対側部に一対の取付用突片２７を、前記凹陥部１５の一対の端部縦面１５ｃに接して凹陥部１５内に挿入されるように設ける。
この一対の取付用突片２７に半球形の凸部２８を形成する。
そして、この凸部２８が前述の凹部１６に係脱自在で上下回動可能に嵌まり合うようにして取付部２６とする。
【００４５】
そして前記一対の取付用突片２７を凹陥部１５内に挿入すると、その凸部２８が凹部１６に嵌まり合い、一対の取付用突片２７が凹陥部１５内に上下方向に回動自在に取付けられる。
この状態で、一対の取付用突片２７を強い力で引くことで凸部２８が凹部１６から離脱する。
したがって、電源用容器１の容器本体１０に薬剤放散器具２の器具本体２０を、上下回動自在で着脱自在に取付けできる。
また、電源用容器１の容器本体１０と器具取付部１２が一体的であるから、部品点数が少なく電源用容器１の組立て作業が容易である。
【００４６】
前述の第２の実施の形態における半球状の凹部１６を、前述の第１の実施の形態における一対のブラケット１３にそれぞれ設け、一対の取付用突片２７を一対のブラケット１３間に挿入して凹部１６と凸部２８が嵌まり合うようにして薬剤放散器具２を電源用容器１に取付けることもできる。
【００４７】
また、前述の第２の実施の形態における凹部１６と凸部２８を設けることなく、取付用突片２７を端部縦面１５ｃに支軸で上下方向に回動自在に取付けても良い。
この場合には、支軸を挿入、抜き出し自在として薬剤放散器具２を着脱自在とする。
【００４８】
前述の第１の実施の形態においては、器具取付部１２の凹部１２ａの底面に、電源（電池１１）に接続した電源用端子を設け、取付部２６には送風機２５のモータ２５ｂにスイッチを介在して接続した電源用端子を設け、その取付部２６を凹部１２ａに嵌合することで電源用端子同士が接触してモータ２５ｂに電源（電池１１）の電力を供給できるようにできる。
また、前述の第２の実施の形態においては、凹部１６と凸部２８を通電性材料とし、それぞれ電源（電池１１）、モータ２５ｂに接続することでモータ２５ｂに電源（電池１１）の電力を供給できるようにできる。
【００４９】
前記電源（電池１１）からモータ２５ｂへの電力供給は、前述のようなものに限ることはなく、図６、図７に示す本発明の第３の実施の形態のようにすることができる。
電源用容器１の容器本体１０に、差し込みプラグ１７を上下回動自在に取付けて器具取付部１２とし、その差し込みプラグ１７の端子１７ａを電源（電池１１）に接続する。
薬剤放散器具２の器具本体２０に差し込みソケット２９を設けて取付部２６とし、その差し込みソケット２９の差し込み口（受口）２９ａを送風機２５のモータ２５ｂにスイッチを介在して接続する。
そして、差し込み口２９ａに端子１７ａを差し込むことで、電源（電池１１）とモータ２５ｂがスイッチを介在して接続し、そのスイッチをＯＮすることでモータ２５ｂに電力を供給できると共に、薬剤放散器具２が電源用容器１に上下回動自在に取付けられる。
【００５０】
このようにすれば、電源用容器１に薬剤放散器具２を上下回動自在に取付ける器具取付部１２、取付部２６と、電力を供給する部材（差し込みプラグ１７、差し込みソケット２９）を共通することができ、部品点数を少なくしてコスト安とすることができる。
【００５１】
例えば、電源用容器１の容器本体１０に一対のブラケット１３を設け、この一対のブラケット１３間に差し込みプラグ１７を挿入して支軸１４で上下回動自在に連結することで、上下回動自在な器具取付部１２とする。
薬剤放散器具２の器具本体２０における吐出口２２と反対側部に差し込みソケット２９を設けて取付部２６とする。
この実施の形態においては、図６に示すように、上向き姿勢の薬剤放散器具２は、その薬剤放散器具２を横向きの使用姿勢とした時に吸込口２１が下向きとなるようにしたが、図４に示すように吸込口２１が上向きとなるようにしても良い。
【００５２】
前述の各実施の形態は、各薬剤放散器具２を上下方向に回動自在としたが、図８〜図１０に示す第４の実施の形態のように、各薬剤放散器具２を縦軸回りに回動自在とし、使用姿勢の時には各薬剤放散器具２が縦軸を中心として放射状に展開した状態となり、格納姿勢の時には各薬剤放散器具２が上下方向に重なり合うようにしても良い。
前記電源用容器１の容器本体１０の上面（上面板１０ａ）に縦軸３０を取付け、その縦軸３０の軸方向複数位置を複数の器具取付部１２とする。
薬剤放散器具２の器具本体２０における吐出口２２と反対側部に張り出し部４０を設けて取付部２６とする。
この各張り出し部４０に縦孔４１をそれぞれ形成し、この縦孔４１に縦軸３０を挿入して縦軸回りに回動自在とする。
【００５３】
そして、使用姿勢の時には各薬剤放散器具２を縦軸３０の回りに回動して図８、図９に示すように各薬剤放散器具２の吸込口２１が重なり合うことなしにそれぞれ上向きに開口した放射状に展開した状態とする。
これによって、各吐出口２２が縦軸中心から最も遠く離れた位置となり、その吐出口２２から吐出した薬剤を含有した空気が他の吸込口２１から吸い込まれないようにできる。
【００５４】
また、各薬剤放散器具２を縦軸３０の回りに回動して図１０に示すように重なり合う格納姿勢とする。
このようにすれば、コンパクトにできる。
【００５５】
この実施の形態では、器具本体２０における吐出口２２と反対側部を長くすると共に、仕切り壁４２を設けて張り出し部４０を形成している。
前記張り出し部４０における上面板２０ａと下面板２０ｂとに孔４３をそれぞれ形成し、この各孔４３に筒体４４を挿入してある。この筒体４４の内周面が前述の縦孔４１である。
この実施の形態では薬剤２４が器具本体２０の上面板２０ａよりも上方に突出しているので、２番目よりも上方の薬剤放散器具２の器具本体２０の孔４３に挿入した筒体４４はフランジ４４ａを有し、そのフランジ４４ａが上下に隣接した薬剤放散器具２の器具本体２０の下面板２０ｂと上面板２０ａに接し、各薬剤放散器具２を重ね合わせた時に薬剤２４が上方の薬剤放散器具２（器具本体２０の下面板２０ｂ）と干渉しないようにしてある。
【００５６】
前記縦軸３０の上端面３０ａに押えプレート３１がボルト３２で固着して着脱自在に取付けてある。
この押えプレート３１が最上方の薬剤放散器具２の器具本体２０の上面板２０ａに接し、各薬剤放散器具２が縦軸３０から抜けないようにしてある。
【００５７】
この場合には、縦軸３０を中空形状とし、電源用容器１の容器本体１０に縦軸３０の中空部に開口した孔を形成し、この孔を通して電源線を縦軸３０の中空部内に配設して各薬剤放散器具２のモータ２５ｂに電力を供給するようにできる。
【００５８】
前述の各実施の形態においては、電源用容器１の容器本体１０に複数の器具取付部１２を設け、その各器具取付部１２に薬剤放散器具２の器具本体２０をそれぞれ取付けしたが、図１１、図１２に示す第５の実施の形態のように、前記容器本体１０を円筒形状とし、その外周面１０ｄに器具本体２０（張り出し部４０の縦孔４１）を回動自在に取付けることもできる。つまり、容器本体１０の外周面を１０ｄにおける軸方向複数位置が複数の器具取付部１２とする。
【００５９】
前記電源用容器１の容器本体１０は円筒形状で、底板１０ｅを有している。
この容器本体１０内に電源（電池）を収容し、キャップ３３を着脱自在に取付ける。例えば、キャップ３３を螺合又は嵌合して取付ける。
前記薬剤放散器具２の器具本体２０は前述の第４の実施の形態と同様に張り出し部４０を有し、この張り出し部４０に形成した孔４３（縦孔４１）を容器本体１０に嵌合して外周面１０ｄに沿って回動自在とする。
上下に隣接した器具本体２０間にスペーサ４５を設けて上の器具本体２０が下の薬剤放散器具２の薬剤２５と干渉しないようにする。
【００６０】
このようにすれば、容器本体１０に器具取付部１２を特別に設ける必要がなく、部品点数を少なくできる。
【００６１】
前述した各実施の形態における前記薬剤取付部２３を、吸込口２１の周縁に設けた複数のピンとして、薬剤２４のリング体２４ａに孔を形成し、その孔をピンに嵌合して取付けるようにしても良い。
また、器具本体２０の上面板２０ａにおける送風機２５と吐出口２２との間に開口部を形成し、その開口部に薬剤２４を嵌合して取付けるようにすることで、開口部を薬剤取付部とすることもできる。この場合には送風機２５のファン２５ａをプロペラファンとすることが好ましい。
また、器具本体２０の内部に板状の薬剤２４を挿入して設け、その薬剤２４の外面と器具本体２０の内面との間に空気が流通するようにして薬剤２４を器具本体２０に取付けることができる。
【図面の簡単な説明】
【００６２】
【図１】本発明の第１の実施の形態を示す平面図である。
【図２】図１のＡ−Ａ断面図である。
【図３】電源用容器の斜視図である。
【図４】本発明の第２の実施の形態を示す断面図である。
【図５】器具取付部と取付部の斜視図である。
【図６】本発明の第３の実施の形態を示す断面図である。
【図７】器具取付部と取付部の斜視図である。
【図８】本発明の第４の実施の形態を示す平面図である。
【図９】図８のＢ−Ｂ断面図である。
【図１０】格納状態の平面図である。
【図１１】本発明の第５の実施の形態を示す平面図である。
【図１２】図１１のＣ−Ｃ断面図である。
【符号の説明】
【００６３】
１…電源用容器、２…薬剤放散器具、１０…容器本体、１１…電池（電源）、１７…差し込みプラグ、１７ａ…端子、２０…器具本体、２１…吸込口、２２…吐出口、２３…薬剤取付部、２４…薬剤、２５…送風機、２５ａ…ファン、２５ｂ…モータ、２６…取付部、２９…差し込みソケット、２９ａ…差し込み口、３０…縦軸、４１…縦孔。
【図１】
2009095272.tif 000003
【図２】
2009095272.tif 000004
【図３】
2009095272.tif 000005
【図４】
2009095272.tif 000006
【図５】
2009095272.tif 000007
【図６】
2009095272.tif 000008
【図７】
2009095272.tif 000009
【図８】
2009095272.tif 000010
【図９】
2009095272.tif 000011
【図１０】
2009095272.tif 000012
【図１１】
2009095272.tif 000013
【図１２】
2009095272.tif 000014